(57)【要約】【課題】比較的に簡易な構成によって、カップとの離間距離に適した複数の配置態様を有し、各配置態様において容易に安定して配置させることができるゴルフ用のマーカーの提供。【解決手段】ゴルフ用のマーカー１０は、マーカー部２０と、マーカー部２０の下面２２から延出する軸部３０とを有する。軸部３０は、マーカー部２０から延出する基端部３１と、先端部３２とを有し、基端部３１は、マーカー部２０の中心から偏心して位置し、先端部３２はマーカー部２０の外方へ延出している。【選択図】図１
2018019959.tif 000002
【特許請求の範囲】
【請求項１】
マーカー部と、前記マーカー部の下面から延出する軸部とを有するゴルフ用のマーカーにおいて、
前記軸部は、前記マーカー部から延出する基端部と、先端部とを有し、
前記基端部は、前記マーカー部の中心から偏心して位置し、前記先端部は前記マーカー部の外方へ延出していることを特徴とするマーカー。
【請求項２】
前記軸部は、前記基端部から前記先端部に向かうに従って、前記マーカー部の中心から離間するようにカーブ状を有する請求項１に記載のマーカー。
【請求項３】
前記軸部の前記先端部の幅方向における寸法が、前記マーカー部の前記幅方向における寸法の２０〜３０％の大きさである請求項１又は２に記載のマーカー。
【請求項４】
前記マーカー部の上面及び両側縁部には、他の領域に比して摩擦抵抗の大きなすべり止め域が配置されている請求項１〜３のいずれかに記載のマーカー。
【発明の詳細な説明】
【技術分野】
【０００１】
本発明は、ゴルフ用のマーカーに関する。
【背景技術】
【０００２】
従来、ゴルフのプレイ中に、ゴルフボールの位置をマーキングするためのゴルフ用のマーカーは、公知である。例えば、特許文献１には、円盤状のマーカー起立部と、マーカー起立部の中心から下方へ延出する軸部とを有するゴルフ用のマーカーが開示されている。マーカー起立部は、軸部の基端が位置する基端部部分と、ヒンジ部を介して基端部に開閉可能に取り付けられた起立部分とを有する。
【先行技術文献】
【特許文献】
【０００３】
【特許文献１】特開２０００−５１４２１号公報
【０００４】
特許文献１に開示のゴルフ用のマーカーによれば、軸部を地面に挿入することによってマーカー部がグリーンと同面上に位置するので、グリーン上においてマーカーの位置を容易に把握することができる。また、マーカー部が、基端部分から起立する起立部分を有することから、グリーン上において、カップとマーカーとが比較的に遠い位置からでもマーカーを視認してその位置を把握することができる。
【０００５】
しかしながら、近距離と遠距離とにおいて、マーカー起立部を開閉する機構を有することから、プレイ中に開閉操作をすることは手間である。また、合成樹脂製のマーカーの場合には、繰り返し開閉操作を行うことによって、ヒンジ部が劣化してしまい、基端部分と起立部分が分離してしまうおそれがある。
【発明の概要】
【発明が解決しようとする課題】
【０００６】
本発明は、従来の発明の改良であって、比較的に簡易な構成によって、カップとの離間距離に適した複数の配置態様を有し、各配置態様において容易に安定して配置させることができるゴルフ用のマーカーの提供を課題にしている。
【課題を解決するための手段】
【０００７】
本発明に開示の発明は、上下方向及び幅方向を有し、マーカー部と、前記マーカー部の下面から延出する軸部とを有するゴルフ用のマーカーに関する。
【０００８】
本発明に係るゴルフ用のマーカーは、前記軸部は、前記マーカー部から延出する基端部と、先端部とを有し、前記基端部は、前記マーカー部の中心から偏心して位置し、前記先端部は前記マーカー部の外方へ延出していることを特徴とする。
【０００９】
本発明に係るゴルフ用のマーカーの実施態様の一つにおいて、前記軸部は、前記基端部から前記先端部に向かうに従って、前記マーカー部の中心から離間するようにカーブ状を有する。
【００１０】
本発明に係るゴルフ用のマーカーの他の実施態様の一つにおいて、前記軸部の前記先端部の幅方向における寸法が、前記マーカー部の前記幅方向における寸法の２０〜３０％の大きさである。
【００１１】
本発明に係るゴルフ用のマーカーのさらに他の実施態様の一つにおいて、マーカー部の上面及び両側縁部には、他の領域に比して摩擦抵抗の大きなすべり止め域が配置されている。
【発明の効果】
【００１２】
本発明に係るゴルフ用のマーカーによれば、軸部の基端部は、マーカー部の中心軸から偏心して位置し、先端部はマーカー部の外方へ延出していることから、カップから遠近・中距離に適した複数の配置態様において、プレイヤーがマーカーを容易に確認することができるとともに、安定して配置させることができる。
【図面の簡単な説明】
【００１３】
【図１】本発明に係るゴルフ用のマーカーの斜視図。
【図２】マーカーの側面図。
【図３】（ａ）第１配置態様における、マーカーをグリーンに配置する様子を示す図。（ｂ）マーカーの軸部３０を地中に挿し込んだ状態を示す図。（ｃ）第１配置態様におけるマーカーの側面図。
【図４】（ａ）第２配置態様における、マーカーをグリーンに配置する様子を示す図。（ｂ）マーカーをボールへ向かって移動させる様子を示す図。（ｃ）マーカーに他のプレイヤーのボールが衝突したときの様子を示す図。
【図５】（ａ）第３配置態様における、マーカーをグリーンに配置する様子を示す図。（ｂ）マーカーの軸部を地中に挿し込む様子を示す図。（ｃ）第３配置態様におけるマーカーの側面図。
【図６】カップから中遠距離の他の配置態様における、マーカーの側面図。
【図７】グリーン上において、カップとマーカーとの間にプレイヤーが立った状態を示す図。
【発明を実施するための形態】
【００１４】
図１〜図３を参照すると、ゴルフ用のマーカー１０は、上下方向Ｙ及び幅方向Ｘを有し、平板状のマーカー部２０と、マーカー部２０から下方へ延出する軸部３０とを含む。マーカー１０は、鉄、ステンレス、アルミニウム合金、又はチタン合金等から形成することができ、全体としてメッキ加工が施されていることが好ましい。また、マーカー１０のマーカー部２０がキャップや被服の金属部分に対して吸着性を有することが好ましい。ただし、マーカー１０は、使用時において所要の強度を有する限りにおいて、天然ゴム製又は合成樹脂製であってもよく、合成樹脂としては、たとえば、ＡＢＳ樹脂、ポリエチレン樹脂、ポリスチレン樹脂、ポリプロピレン樹脂、フッ素樹脂等を用いることができる。マーカー１０は、マーカー部２０の中心に位置する中心軸Ｐをさらに有する。マーカー部２０は、平面視において円形であることのほかに、楕円形、三角形、四角形、多角形等の各種公知の形状を採用することができる。ここで、幅方向Ｘとは、図１及び２に示すとおり、マーカー部２０の第１端部２０ａと第２端部２０ｂとが互いに対向する方向を意味する。
【００１５】
マーカー部２０は、上面２１、下面２２と、直線状の第１端部２０ａと、第１端部２０ａと幅方向Ｘに対向して位置する曲線状の第２端部２０ｂと、第１及び第２端部２０ａ，２０ｂ間に位置する曲線状の両側縁部２０ｃ，２０ｄとを有する。上面２１には、複数条の凹状ラインが格子状に交差して形成された第１すべり止め域（第１摩擦抵抗域）８が位置する。また、両側縁部２０ｃ，２０ｄには、上下方向Ｙへ延びる複数の凸状ラインから形成された第２すべり止め域（第２摩擦抵抗域）９が位置する。第１及び第２すべり止め域８，９は、表面が平滑なマーカー部２０の他の部分に比して摩擦抵抗が大きくなっている。本実施形態において、第１及び第２すべり止め域８，９は、上面２１及び両側縁部２０ｃ，２０ｄに形成された凹凸面から形成されているが、すべり止め効果を発揮する限りにおいては各種公知の方法及び材料を用いることができ、例えば、ウレタン系の滑り止め剤を塗布したり、発泡性のウレタン樹脂シートを配置するなどしてもよい。なお、マーカー部２０の上面２１には、装飾塗料によってコーテイング処理がなされていてもよい。かかる場合には、マーカーがデザイン性を備えることから、キャップや靴に取り付けた状態において、装飾品（アクセサリー）としての役割を果たすことができる。また、被服の金具に吸着しやすくするために、マーカー部２０に永久磁石を埋設してもよい。
【００１６】
軸部３０は、マーカー部２０の下面２２から延出する基端部３１と、先鋭状の先端部３２とを有し、基端部３１には、それを貫通する透孔３３が形成されている。軸部３０は、マーカー１０の中心軸Ｐ上に位置しておらず、その中心から偏心してマーカー部２０の下面から延びている。また、軸部３０の先端部３２は、マーカー部２０の外周縁から外方へ延出している。軸部３０がマーカー１０の中心軸Ｐから偏心していることによって、マーカー１０をカップ７０から比較的に近くに配置する場合には、芝面６０と面一となるように沈めこむように配置することができ、また、マーカー１０をカップ７０から比較的に遠くに配置する場合には、芝面６０に対してマーカー部２０を傾斜させた状態で起立させることができる。
【００１７】
軸部３０は、基端部３１から先端部３２に向かうに従って、次第に中心軸Ｐから離間するように、すなわち、幅方向Ｘの外側へ凸曲するように、カーブ状を有している。また、軸部３０の先端部３２は、アール状を有している。このように、軸部３０の先端部３２がアール状であることによって、マーカー１０をズボンのポケット内に携帯したときに、先端部３２がプレイヤーの手に当たっても、それが先鋭状である場合に比べて、刺激が与えられることはない。
【００１８】
ここで、マーカー１０の各種寸法についていえば、マーカー１０の上下方向Ｙの寸法Ｌ１は、１０〜１５ｍｍ、幅方向Ｘの寸法（幅寸法）Ｗ１は１５〜２５ｍｍ、軸部３０の長さ寸法（基端部３１から先端部３２までの離間距離）Ｌ２は９〜１２ｍｍである。マーカー１０の長さ寸法Ｌ１及び幅寸法Ｗ１が通常市販されているゴルフ用のマーカーに比べて小さいことから、小型かつ軽量であって、持ち運びが容易であるとともに、ポケットや専用ケースにコンパクトに収容することができる。
【００１９】
また、後記の技術的効果を奏するために、マーカー部２０の幅方向Ｘの寸法Ｗ２は１２〜２０ｍｍ、マーカー部２０から延出する軸部３０の先端部３２の幅方向Ｘの寸法Ｗ３が３〜５ｍｍであって、寸法Ｗ３は寸法Ｗ２の２０〜３０％の大きさであることが好ましい。
【００２０】
図７は、グリーン５９上において、プレイヤー４０がマーカー１０とカップ７０との間の距離やグリーン５９の傾斜度合い等を確認している様子を示す図である。通常、プレイヤーは、マーカーをボールのマーキング用として使用することのほかに、カップまでの距離やグリーンの傾斜度合い、芝目等を確認するためのパッティング補助ツールとして使用することがある。例えば、本実施形態に係るマーカー１０によってボール５０をマークした後、他のプレイヤーがパッティングしている間に、プレイヤー４０は自らの目４３でカップ７０近傍からマーカー１０の位置を確認したり、カップ７０とマーカー１０との間において、それらの離間距離が等分になるような第１位置Ｋ１にプレイヤー４０が移動する。すなわち、マーカー１０とカップ７０及びプレイヤー４０とを結ぶ仮想線によって２等辺三角形が形成されるような位置となることによって、プレイヤー４０は、マーカー１０とカップ７０との傾斜や距離を正確に把握することができるとともに、例えば、グリーン５９の芝目や、カップ７０に向かってマーカー１０が下り勾配であるのか、はたまた、上り勾配であるのか、勾配度合いはどの程度であるのか等のパッティングラインを読むにあたって必要な情報を得ることができる。
【００２１】
また、プレイヤー４０は、ボールからカップ７０までの上下方向における勾配度合いをさらに正確に把握するために、カップ７０の反対側に移動した第２位置Ｋ２においてマーカー１０とカップ７０とを確認することがある。かかる場合においては、カップ７０及びフラッグを介してマーカー１０を視認することになるので、マーカー１０が単にグリーン６０上に配置されているのみでは、マーカー１０が見え難く、その位置を正確に把握できないおそれがある。また、第１及び第２位置Ｋ１，Ｋ２とともに又は第２位置Ｋ２の代わりに、プレイヤー４０は、マーカー１０をカップ７０に向かう方向と逆方向へ移動した第３位置Ｋ３において、グリーン５９の勾配度合いを確認することがある。このように、プレイヤー４０は、パッティングの前に第１〜第３位置Ｋ１〜Ｋ３に移動しながらマーカー１０とカップ７０との勾配度合い、距離及び芝目等を確認するので、マーカー１０はいずれの位置においても容易に視認されるものであることが必要である。
【００２２】
＜カップから近距離にマークする場合の配置態様（第１配置態様）＞
図３（ａ）〜（ｃ）は、カップ７０から近距離（カップ７０との離間距離が１ヤード以内）にマーキングする場合における、マーカー１０の配置態様の一例（第１配置態様）を示す図である。図３（ａ）を参照すると、第１配置態様においては、プレイヤー４０が軸部３０をボール５０に向けた状態でマーカー部２０を摘持して芝面６０に載せ、軸部３０の先端部３２とボール５０の位置とを確認する。次に、図３（ｂ）を参照すると、ボール５０から僅かに離れた適当な位置（ボール５０に手が触れない位置）において、マーカー部２０の上面２１を人差し指４１で押して、マーカー部２０の上面２１が芝面６０と平らになるように軸部３０を地中６１に挿し込む。このとき、プレイヤー４０は、ボール５０を避けるように人差し指４１でマーカー部２０を真上からではなく斜めから地中６１に押し込むことになるが、軸部３０が偏心して位置することから、マーカー部２０に対して人差し指で斜めに押し込むように力を作用することによって芝面６０上に位置する第１端部２０ａを支点として容易に押し込むことができる。したがって、芝面６０に対して斜めに位置する軸部３０をスムーズに地中に挿入することができるとともに、簡単に浮き上ることはない。芝面６０は、３ｍｍ前後の長さを有する芝生から形成されており、「上面２１が芝面６０と平らになる」とは、芝面６０に上面２１が入り込んだ状態になることを意味し、地中６１に埋め込まれることを意味するものではない。したがって、他のプレーヤーのボールの軌道上にマーカーがあっても移動する必要がなく、プレーの進行の妨げにならない。
【００２３】
さらに、軸部３０が直線状を有する場合には、軸部３０が芝面６０に対して斜めの方向から地中６１に進入することになるので、芝面６０に比較的に大きな小径が形成されてしまうおそれがあるが、軸部３０がカーブ形状を有することから、マーカー部２０を回転させるようにして軸部３０を挿し込むことができるので、軸部３０が直線状である場合に比べて、芝面６０には比較的に小さな小径が形成される。したがって、マーカー１０の使用によって、芝面６０にボール５０の転動を妨げるような凹部が形成されるのを抑制することができる。
【００２４】
図３（ｃ）を参照すると、かかる配置態様においては、軸部３０が地中６１にあることからマーカー１０が安定的に配置されるとともに、芝面６０にマーカー部２０の上面２１が露出していることから、カップ７０から比較的に近距離にマークする場合には、プレイヤー４０は、マーカー１０の位置を容易に把握することができる。また、地中６１にカーブ状の軸部３０が挿し込まれていることから、垂直にそれを引き抜く力が作用しても引き抜かれることはなく、安定的に配置することができる。また、マーカー１０を引き抜くときには、押し込む方向と反対の方向へ引き抜くことになるので、軸部３０を引き抜いて形成された孔が比較的に大きくなることはない。
【００２５】
マーカー部２０は、通常市販されているゴルフ用のマーカーに比べて、コンパクトかつ肉薄であるから、芝面６０に配置した後に芝生に深い凹部が形成されることはなく、それを取り除いてしばらく時間が経過した後には、芝面６０の配置された部分がほぼ元の状態に復元される。図２を参照すると、具体的には、マーカー部２０の厚さ寸法Ｄ１は、０．３〜２．０ｍｍである。
【００２６】
また、このようにマーカー１０がコンパクトであることから、図３（ａ）に示すように、プレイヤーが人差し指４１と親指とでマーカー部２０を摘持するときや図３（ｂ）に示すように人差し指４１で上面２１を押圧するときであって、特に、冬の時期の乾燥した指で操作するときや雨、朝露によってマーカー部２０全体が濡れている場合には、指先が滑って上手く操作できないおそれがある。本実施形態に係るマーカー１０においては、マーカー部２０の上面２１に第１すべり止め域８、両側縁部２０ｃ，２０ｄに第２すべり止め域９が位置することから、かかる場合であっても指先が滑ることなく、確実にマーカー部２０を摘持、押圧することができる。
【００２７】
＜カップから中距離又は近距離にマーキングする場合の配置態様（第２配置態様）＞
図４（ａ）及び（ｂ）は、カップ７０から中距離又は近距離（カップからの離間距離が１〜３ヤードの場合）にマーキングする場合における、マーカー１０の配置態様の一例（第２配置態様）を示す図である。
【００２８】
図４（ａ）を参照すると、プレイヤー４０が、軸部３０を摘持して、マーカー部２０の上面２１を芝面６０に当接するように配置することによっても、ボール５０のマーキングを行うことができる。図４（ｂ）を参照すると、かかる配置態様において、プレイヤー４０が人差し指４１を軸部３０の先端部３２に当て、そのままボール５０へ向かってマーカー部２０の上面２１を芝面６０上において滑らせるように移動させることによって、ボール５０に速やかに近づけることができる。かかる配置態様の場合には、ボール５０の真下にマーカー部２０の一部が位置するように配置することができるので、ボール５０の正確な位置のギリギリまでマーキングを行うことができる。また、軸部３０が芝面６０上において起立した態様となるので、カップ７０から近・中距離の位置にあっても、プレイヤー４０は、マーカー１０を視認することができる。
【００２９】
グリーン５９上には、各プレイヤーのマーカーが複数配置されることがあり、故意ではなくとも、他のプレイヤーがパッティングしたボール５１がマーカー１０に当たって、マーキングした位置がずれてしまうことがある。図４（ｃ）を参照すると、例えば、他のプレイヤーがパッティングした矢印Ｎ１の方向へ転動するボール５１がマーカー１０に衝突してそれを移動させようとする力が作用した場合において、ボール５１が軸部３０の先端部３２に衝突するときには、軸部３０がマーカー部２０に対して斜めに延びていることから、マーカー１０がマーカー部２０の第２端部２０ｂ側を支点として芝面６０から浮き上ってかかる衝撃を吸収し、その移動を抑制することができる。また、衝突時において、第２端部２０ｂを支点として軸部３０がボール５０の軌道から外れる方向に旋回するので、ボール５０の軌道や勢いを変化させてしまうことはない。かかる状況において、先端部３２がマーカー部２０の内側に位置する場合には、転動するボール５１が最初にマーカー部２０に乗り上がってその浮き上りが規制されるおそれがあるが、本実施形態においては、先端部３２がマーカー部２０の外方へ延出していることによって、先端部３２がマーカー部２０よりも先にボール５１に衝突し、マーカー部２０を浮き上らせることができる。
【００３０】
このように、マーカー１０がボール５１によって作用される力を吸収するためには、マーカー１０の軸部３０の先端部３２がボール５１の重心Ｑよりも下方において衝突されることが好ましい。先端部３２が重心Ｑよりも下方においてボール５１に衝突することによって、転動するボール５１の勢いを失わせることがなくマーカー１０が浮き上がって元の状態に戻ることができる。
【００３１】
＜カップ７０から遠距離に位置するボールをマーキングする場合の配置態様（第３配置態様）＞
図５（ａ）〜（ｃ）は、カップ７０からから遠距離（カップ７０からの離間距離が３ヤード以上）に位置するボール５０をマーキングする場合の配置態様（第３実施態様）を示す図である。図５（ａ）を参照すると、まず、プレイヤー４０がマーカー部２０を人差し指４１と親指とで摘持し、マーカー部２０が芝面６０に対して斜め（傾斜角度が約４０〜４５度）になるように軸部３０の先端部３２側を対向位置させて、そのまま地中６１に挿し込む。図５（ｂ），（ｃ）を参照すると、マーカー部２０の第２端部２０ｂが芝面６０に当たるまで軸部３０を挿し込むことによって、容易に安定して配置することができる。軸部３０がマーカー部２０の中心軸Ｐから延びている場合には、軸部３０を地中６１に挿し込んだ状態においてもマーカー部２０の第２端部２０ｂが芝面６０に当たらないおそれがあり、マーカー部２０を起立した状態で配置するためには、軸部３０の長さを比較的に長くする必要がある。本実施形態においては、軸部３０が中心軸Ｐから偏心して位置することによって、安定的な配置態様を実現することができる。また、近距離の配置態様と同様に、軸部３０を地中６１に挿し込むときにマーカー部２０を回転させるようにして押し込むことができるので、軸部３０を長くする必要はなく、かつ、芝面６０上に形成される小径を最初限度に抑えることができる。
【００３２】
図５（ｃ）を参照すると、かかる配置態様においては、芝面６０に対してマーカー部２０が斜めに位置する状態で配置されるので、マーカー部２０をカップ７０側に向けることによって、プレイヤー４０はカップ７０とマーカー１０との傾斜や距離を把握することができる。特に、カップ７０から比較的に遠方にマーキングするときには、第１及び第２配置態様では、図７に示すように、プレイヤー４０が第２位置Ｋ２に移動したときに、マーカー１０を視認することができないおそれがあるが、本配置態様のように、マーカー部２０を芝面６０に対して斜めに起立させた状態で配置することによって、マーカー１０が比較的に小型であっても、プレイヤー４０は容易にマーカー１０を視認することができる。また、マーカー部２０の上面２１が光の反射率の高い材料から形成された場合には、よりその位置を視認しやすくなるといえる。
【００３３】
図６は、カップ７０から中距離及び遠距離にマーキングするときにおける、マーカー１０の他の配置態様の一例を示す図である。本配置態様においては、マーカー１０が、ボール５０に対してマーカー部２０を対向させるように、軸部３０の先端部３２と第１端部２０ａとを支点として起立した態様となるので、第１配置態様に比べてプレイヤー４０はその位置を容易に把握することができる。かかる配置態様において、第１端部２０ａが第２端部２０ｂのように曲線状の場合には、マーカー１０の起立状態が不安定となるおそれがあるが、第１端部２０ａが平坦状であることによって、安定して起立させることができる。
【００３４】
以上のように、本実施形態に係るマーカー１０は、カップ７０からの離間距離が１ヤード以下の近距離、カップ７０から離間距離が１〜３ヤードの中距離及び３ヤード以上の遠距離の場合に適する３つの配置態様を１つで実現することができるものである。したがって、各離間距離に合わせて配置態様を適宜選択することによって、図７に示すように、プレイ待機中にプレイヤー４０が第１〜第３位置Ｋ１〜Ｋ３のいずれにおいても容易にマーカー１０を視認することができるとともに、カップ７０とマーカー１０の位置との傾斜度合い、距離、芝目等を把握し、正確なパッティングラインを読むことができる。
【００３５】
また、市販のゴルフ用のマーカーの場合には、それぞれ近距離用又は遠距離用というように用途が限られていることから、プレイヤー４０は複数のゴルフ用のマーカーを持ち運ぶ必要があるとともに、プレイ中にそれらの中から適宜選択をしてマーキングしなければならず、手間である。本実施形態に係るマーカー１０によれば、近距離、中距離及び遠距離の兼用であって、３つの配置態様のいずれかを選択すれば足りるので、他のゴルフ用のマーカーを持ち歩く必要はなく、プレイ中にどのゴルフ用のマーカーを使用するべきか選択に悩む必要はない。したがって、プレイヤー４０は、待機中にマーカー１０を利用してカップ７０へのアプローチをイメージしてパッティングに臨めるので、プレイヤー４０が自分のパッティングにかかる時間を短縮することができ、他のプレイヤーを長時間待たせることなく、他のプレイヤーを待たせることによる精神的な負担から解放され、より精度の高いパッティングを実現することができる。
【００３６】
本明細書において、マーカー１０を構成する各構成材料には、特に記述がなされている場合を除き、この種の分野において通常用いられている、各種の公知の材料を制限なく用いることができる。
【符号の説明】
【００３７】
８  第１すべり止め域
９  第２すべり止め域
１０  ゴルフ用のマーカー
２０  マーカー部
２０ｃ  側縁部
２０ｄ  側縁部
２１  上面
２２  下面
３０  軸部
３１  基端部
３２  先端部
Ｗ２  マーカー部の幅方向における寸法
Ｗ３  先端部の幅方向における寸法
Ｘ  幅方向
【図１】
2018019959.tif 000003
【図２】
2018019959.tif 000004
【図３】
2018019959.tif 000005
【図４】
2018019959.tif 000006
【図５】
2018019959.tif 000007
【図６】
2018019959.tif 000008
【図７】
2018019959.tif 000009